(57)【特許請求の範囲】
【請求項１】
賦香組成物または賦香された物品に有効量の４−メチル−８−メチレン−４，９−デカジエナールを、その立体異性体のいずれか一つの形または（４−Ｅ）ジアステレオマーを少なくとも８０％ｗ／ｗ含むジアステレオマー（４−Ｅ）および（４−Ｚ）の混合物の形で添加することを含む、賦香組成物または賦香された物品に香気特性を付与、または賦香組成物または賦香された物品の香気特性を増進、向上または改良する方法。
【請求項２】
４−メチル−８−メチレン−４，９−デカジエナールが、（４−Ｅ）ジアステレオマーを少なくとも８０％ｗ／ｗ含むジアステレオマー（４−Ｅ）および（４−Ｚ）の混合物の形で使用されることを特徴とする請求項１記載の方法。
【請求項３】
（Ｅ）−４−メチル−８−メチレン−４，９−デカジエナールを使用することを特徴とする、請求項１記載の方法。
【請求項４】
アルデヒド系および／またはスズランの香調を付与するために４−メチル−８−メチレン−４，９−デカジエナールを添加することを特徴とする請求項１記載の方法。
【請求項５】
ｉ）４−メチル−８−メチレン−４，９−デカジエナールを、その立体異性体のいずれか一つの形で、または（４−Ｅ）ジアステレオマーを少なくとも８０％ｗ／ｗ含むジアステレオマー（４−Ｅ）および（４−Ｚ）の混合物の形で；
ｉｉ）香料担体及び香料基材からなる群から選ばれる少なくとも一つの成分；および
ｉｉｉ）場合により、少なくとも一つの香料補助剤
を含む賦香組成物。
【請求項６】
香料基材が、草本系のアルデヒド、またはスズランの特徴を有することを特徴とする請求項５記載の賦香組成物。
【請求項７】
ｉ）４−メチル−８−メチレン−４，９−デカジエナールを、その立体異性体のいずれか一つの形で、または（４−Ｅ）ジアステレオマーを少なくとも８０％ｗ／ｗ含むジアステレオマー（４−Ｅ）および（４−Ｚ）の混合物の形で；および
ｉｉ）消費者製品香料基剤
を含む賦香消費者製品。
【請求項８】
消費者製品香料基剤が香水、繊維ケア製品、ボディケア製品、空間ケア製品または家庭用ケア製品であることを特徴とする、請求項７記載の賦香消費者製品。
【請求項９】
消費者製品香料基剤が、ファインパフューム、コロン、アフターシェイブローション、液体または固形洗剤、繊維柔軟剤、繊維消臭剤、アイロンがけ用の水、紙、漂白剤、シャンプー、着色剤、ヘアスプレー、バニッシングクリーム、消臭剤または制汗剤、賦香された石鹸、シャワー用またはバス用のムース、オイルもしくはジェル、衛生用品、エアフレッシュナー、「すぐに使える」粉末状エアフレッシュナー、ふきん、食器用洗剤、または硬質表面用洗剤であることを特徴とする請求項７記載の賦香消費者製品。
【発明の詳細な説明】
【技術分野】
【０００１】
本発明は香料の分野に関する。より詳細には、本発明は４−メチル−８−メチレン−４，９−デカジエナールの賦香成分としての使用に関する。従って、本明細書に記載のとおり、本発明には賦香組成物または賦香消費者製品の一部としての本発明の化合物も含まれる。
【０００２】
背景技術
４−メチル−８−メチレン−４，９−デカジエナールは、例えばＵＳ３８７２１７２に記載されているように、様々な文献に基本的にβ−シネンサール(オレンジオイルの公知の成分)の合成における中間体として記載されている公知の生成物である。
【０００３】
我々の知る限りでは、本発明の化合物に言及するいかなる文献にも式（Ｉ）の化合物の官能特性、または該化合物の香料分野での使用に関する報告または示唆は存在しない。
【０００４】
発明の概要
我々は、驚いたことに、下記式の４−メチル−８−メチレン−４，９−デカジエナール
【化１】
0005930347.tif 000002
が任意の立体異性体またはその混合物の形で賦香成分として、例えば、カルダモンを想起させるアルデヒド系の香調、および／またはスズランを想起させるフローラル系の香調を与えるために使用できることを発見した。
【０００５】
明確にするために、「任意の立体異性体」またはこれに類似する表現は、当業者によって通常理解される意味を有する。すなわち、本発明の化合物は、純粋なジアステレオマー（例えば、二重結合がＥ配置またはＺ配置である）であってもよい。
【０００６】
本発明の一つの具体的な実施態様によれば、前記化合物（Ｉ）は、（４−Ｅ）ジアステレオマーを少なくとも６０％、または８０％ｗ／ｗ、または９０もしくは９５％ｗ／ｗ含むジアステレオマー（４−Ｅ）と（４−Ｚ）の混合物の形で存在する。
【０００７】
本発明の化合物の具体例としては、非限定的な例として、カルダモンを想起させるアルデヒド系の香調とスズランを想起させるフローラル系の香調との快い二重性を特徴とする力強い香りを有する、（Ｅ）−４−メチル−８−メチレン−４，９−デカジエナールを挙げることができる。スズランの香調は、二つの周知の賦香成分であるＬｉｌｉａｌ（Ｒ）（３−（４−ｔｅｒｔ−ブチルフェニル）−２−メチルプロパナール、製造元：Ｇｉｖａｕｄａｎ  Ｓ．Ａ．、スイス国ヴェルニエ）及びＣｙｃｌｏｓａｌ（Ｒ）（３−（４−イソプロピルフェニル）−２−メチルプロパナール）の香りを連想させる。具体的な使用及び用量に応じて、（Ｅ）−４−メチル−８−メチレン−４，９−デカジエナールはいずれか一方の香調を示すことができ、また、前記化合物は、特にフローラルまたはグリーンアルデヒドタイプの賦香組成物と、非常に調和のとれた形でなじむ。
【０００８】
本発明による化合物の香りと従来技術の化合物であるβ−シネンサールの香りとを比較すると、β−シネンサールが有する典型的な柑橘／オレンジの香りを一切有していない本発明の化合物は、その全く異なった香りにより区別することができる。
【０００９】
上記記載のとおり、本発明は式（Ｉ）の化合物の賦香成分としての使用に関する。換言すると、本発明は、賦香組成物または賦香された製品に香気特性を付与、または賦香組成物または賦香された製品の香気特性を増進、改善または改良する方法に関するものであり、本方法は前記組成物または製品に少なくとも一つの式（Ｉ）の化合物を有効量添加することを含む。ここで、「式（Ｉ）の化合物の使用」とは、化合物（Ｉ）を含み、かつ香料産業において有利に用いることができる組成物の使用でもあると理解すべきである。
【００１０】
賦香成分として実際に有利に用いられる上記組成物もまた、本発明の対象の一つである。
【００１１】
そこで、本発明のもう一つの対象は、
ｉ）    賦香成分として、少なくとも一つの上記記載の本発明の化合物；
ｉｉ）  香料担体および香料基剤からなる群より選ばれる少なくとも一つの成分；および
ｉｉｉ）場合により、少なくとも一つの香料補助剤
を含む賦香組成物である。
【００１２】
ここで、「香料担体」とは、香料の観点から実質的に中性な材料、つまり賦香成分の官能性を著しく変えることのないもの、を意味する。前記担体は、液体であっても固体であってもよい。
【００１３】
液体担体の例としては、非限定的な例として、乳化系、つまり、溶剤および界面活性剤の系、または香料に通常使用される溶剤が挙げられる。香料に通常使用される溶剤の性質や種類をすべて挙げることはできない。しかし非限定的な例として、最も一般的に使用されているジプロピレングリコール、フタル酸ジエチル、ミリスチン酸イソプロピル、安息香酸ベンジル、２−（２−エトキシエトキシ）−１−エタノールまたはクエン酸エチルを挙げることができる。香料担体および香料基剤の両方を含む組成物については、前記で特定したもの以外の適当な香料担体は、エタノール、水／エタノールの混合物、リモネンまたは他のテルペン、商標Ｉｓｏｐａｒ（Ｒ）（製造元：Ｅｘｘｏｎ  Ｃｈｅｍｉｃａｌ）で知られるようなイソパラフィン、または商標Ｄｏｗａｎｏｌ（Ｒ）（製造元：Ｄｏｗ  Ｃｈｅｍｉｃａｌ  Ｃｏｍｐａｎｙ）で知られるようなグリコールエーテルおよびグリコールエーテルエステルであってもよい。
【００１４】
固体担体の例としては、非限定的な例として、吸収ゴムもしくはポリマー、またはカプセル化材料が挙げられる。そのような材料の例には、モノサッカライド、ジサッカライドまたはトリサッカライド、天然もしくは改質でんぷん、親水コロイド、セルロース誘導体、ポリ酢酸ビニル、ポリビニルアルコール、タンパク質やペクチンのようなカプセル壁形成材料や可塑化材料、または、例えばＨ．Ｓｃｈｅｒｚ，Ｈｙｄｒｏｋｏｌｌｏｉｄｅ：  Ｓｔａｂｉｌｉｓａｔｏｒｅｎ，  Ｄｉｃｋｕｎｇｓ−  ｕｎｄ  Ｇｅｌｉｅｒｍｉｔｔｅｌ  ｉｎ  Ｌｅｂｅｎｓｍｉｔｔｅｌｎ，  Ｂａｎｄ  ２  ｄｅｒ  Ｓｃｈｒｉｆｔｅｎｒｅｉｈｅ  Ｌｅｂｅｎｓｍｉｔｔｅｌｃｈｅｍｉｅ，  Ｌｅｂｅｎｓｍｉｔｔｅｌｑｕａｌｉｔａｅｔ，  Ｂｅｈｒ’ｓ  Ｖｅｒｌａｇ  ＧｍｂＨ  ＆  Ｃｏ．，  Ｈａｍｂｕｒｇ，  １９９６のような参考文献に記載される材料が含まれる。カプセル化は当業者によく知られた方法であり、例えば噴霧乾燥、凝集、もしくは押出のような技術、またはコアセルベーションや複合コアセルベーションのような被覆封入により行うことができる。
【００１５】
本発明において「香料基剤」とは、少なくとも一種の賦香副成分を含む組成物を意味する。
【００１６】
この賦香副成分は式（Ｉ）によるものではない。また、ここで「賦香副成分」とは、快楽作用を付与するために賦香調製物または組成物に使用される化合物を意味する。換言すると、賦香成分であるこのような副成分は、単に香りを有するだけでなく、組成物に肯定的もしくは好ましい形で香りを付与または改変することができる成分として当業者に理解されなければならない。
【００１７】
基剤に存在する賦香副成分の性質と種類は、いずれにしても全てを挙げることはできず、また、当業者ならば一般知識や使用目的、適用、所望の官能特性に基づいて選択することができるので、ここでより詳細な説明は不要である。一般に、これら賦香副成分は、アルコール類、ラクトン類、アルデヒド類、ケトン類、エステル類、エーテル類、アセテート類、ニトリル類、テルペノイド類、窒素含有または硫黄含有複素環化合物、およびエッセンシャルオイル等、様々な化学的な種類に属する。また、該賦香副成分は、天然由来または合成由来どちらであってもよい。これら副成分の多くは、いずれにしても、例えばＳ．  Ａｒｃｔａｎｄｅｒによる書籍Ｐｅｒｆｕｍｅ  ａｎｄ  Ｆｌａｖｏｒ  Ｃｈｅｍｉｃａｌｓ，  １９６９，  Ｍｏｎｔｃｌａｉｒ，  Ｎｅｗ  Ｊｅｒｓｅｙ，  ＵＳＡ、またはそのより新しい版、あるいは他の同様の文献のような参考文献や香料分野に関する多くの特許文献に記載されている。上記副成分はまた、様々な種類の賦香化合物を制御放出することで知られている化合物であってもよい。
【００１８】
本発明の一つの具体的な実施態様において、特に適切な香料基剤として、草本系（ｈｅｒｂａｃｅｏｕｓ）またはグリーン、フローラル、アルデヒド、ホワイトフラワーおよび／またはスズランの香りの特徴を有するものが使用される。実際に本発明の化合物を草本系／アルデヒド系の特徴を有する香料基剤に混合した場合、本発明の化合物は主にアルデヒド／草本系の香調を付与／促進／向上させる。同様に、本発明の化合物をスズランの特徴を有する香料基剤に混合した場合、本発明の化合物は主にスズランの香調を付与／促進／向上させる。換言すると、本発明の化合物は、純粋な化合物では二重性のある香りを示すが、香料基剤と混合されると、香料基剤の嗅覚的特徴に応じて、優勢な香りのみを付与または増加させることができる。
【００１９】
本発明において、「香料補助剤」とは、例えば色や、特定の耐光性、化学的安定性などの追加的な利点を付与する成分を意味する。香料基剤に通常使用される補助剤の性質と種類をすべて挙げることはできないが、前記の成分は、当業者によく知られた成分であることを言及しておく必要がある。
【００２０】
本発明による少なくとも一つの式（Ｉ）の化合物および少なくとも一つの香料担体からなる組成物は、少なくとも一つの式（Ｉ）の化合物、少なくとも一つの香料担体、少なくとも一つの香料基剤および場合により少なくとも一つの香料補助剤を含む香料組成物と同様に本発明の具体的な実施態様の一つである。
【００２１】
明確にするために、化学合成から直接得られる任意の混合物、たとえば本発明の化合物が出発化合物、中間体または最終生成物として関わっている、十分な精製が行われていない反応媒体は、そのような混合物から本発明の化合物を香料に適した形で得ることができない限り本発明の賦香組成物とは考えられない。そこで、精製されていない反応混合物は、特段明記された場合を除き、通常は本発明から除外される。
【００２２】
また、本発明の化合物はすべての近代香料分野、すなわちファインパフュマリー（ｆｉｎｅ  ｐｅｒｆｕｍｅｒｙ）または機能的香料の分野において、前記化合物（Ｉ）を添加して消費者製品に良い香りを付与したり香りを改良するために有利に使用することができる。
そこで、
ｉ）賦香成分として少なくとも一つの上記で定義した式（Ｉ）の化合物、および
ｉｉ）消費者製品香料基剤
を含む賦香消費者製品もまた本発明の対象の一つである。
【００２３】
本発明の化合物は、それ自体で、または本発明の賦香組成物の一部として添加することができる。
【００２４】
明確にするために、「賦香消費者製品」とは、少なくとも賦香効果を与えることが期待される消費者製品、換言すると賦香された消費者製品を意味する。また、明確にするために、「消費者製品香料基剤」とは、賦香成分と相溶性があり、適用された面（例えば皮膚、毛髪、テキスタイル、室内表面）に快い芳香を与えることが期待される、消費者製品に相当する機能的調製物および任意で付加的な利点をもたらす添加剤を意味する。換言すると、本発明による賦香消費者製品は、例えば洗剤またはエアフレッシュナー等の所望の消費者製品に相当する機能的調製物および任意で付加的な利益をもたらす添加剤、ならびに嗅覚的に有効な量の少なくとも一つの本発明の化合物を含有する。
【００２５】
消費者製品香料基剤の構成成分の性質や種類を全て挙げることはできないが、当業者であれば通常の知識、製品の性質および所望される効果に基づいて構成成分を選択することができるので、ここで更に詳細な説明は不要である。
【００２６】
適切な消費者製品香料基剤の非限定的な例として、ファインパフューム（ｆｉｎｅ  ｐｅｒｆｕｍｅ）、コロン、またはアフターシェイブローションのような香水；液体または固形洗剤、繊維柔軟剤、繊維消臭剤、アイロンがけ用の水、紙、または漂白剤のような繊維の手入れ用製品；例えばヘアケア製品（例えばシャンプー、着色剤、またはヘアスプレー）、化粧品（例えばバニシングクリーム、デオドラント、または制汗剤）、またはスキンケア製品（例えば香りつきの石鹸、シャワーまたはバスムース、オイルもしくはゲル、または衛生用品）のようなボディケア製品；例えばエアフレッシュナーまたは「すぐに使える」粉状のエアフレッシュナーのような空間ケア製品；またはふきん、食器用洗浄剤、または硬質表面用洗浄剤のような家庭用ケア製品が挙げられる。
【００２７】
上記の消費者製品基剤の中には本発明の化合物に対して攻撃的な媒体となるものもあり、そのような場合には本発明の化合物を早期分解から保護する必要がある。例えば、本発明の化合物をカプセル化したり、適切な外的刺激に応じて本発明の成分を放出するのに適した他の化学物質に本発明の化合物を化学的に結合させたりすることによって保護することができる。外的刺激とは、例えば、酵素、光、熱またはｐＨ値の変化である。
【００２８】
上記の様々な製品または組成物に含まれる本発明の化合物の割合は、広い範囲内で変動する。本発明の化合物の量は、賦香される製品の性質および所望される官能効果、ならびに本発明の化合物が当該技術分野において通常使用される賦香副成分、溶媒または添加物と混合される場合には任意の基剤に含まれる副成分の性質によって決められる。
【００２９】
例えば、賦香組成物における本発明の化合物の典型的な濃度は、混合される組成物の重量に対して０．０５％から１０重量％程度、またはそれ以上である。本発明の化合物が賦香された製品中に混合される場合には、製品の重量に対して上記よりも低い濃度、例えば０．０１％から５重量％程度の濃度で使用することができる。
【実施例】
【００３０】
以下の実施例によって本発明を更に詳細に説明する。ここで使用される略語は当該技術における通常の意味を示す。温度は摂氏（℃）で示され、１Ｈおよび１３ＣＮＭＲスペクトルデータは（別途記載のない限り）ＣＤＣｌ３中で３６０または４００ＭＨｚ装置を用いて記録され、化学シフトδは基準であるＴＭＳに対するｐｐｍで示され、結合定数ＪはＨｚで示される。
【００３１】
（Ｅ）−４−メチル−８−メチレン−４，９−デカジエナールを文献に基づいて製造した（例えばＵＳ３８７２１７２参照）。
【００３２】
実施例１
賦香組成物の製造
下記成分を混合することにより、草本系・フローラル・アルデヒドタイプの柔軟剤用の賦香組成物を製造した。
重量部 成分
３００          オクチルアセテート
１００          カルビノールアセテート
５０            シクラノールアセテート
１８０          テルペニルアセテート
６００          ベルジルアセテート
１０００        イソボルニルアセテート
１０            アルデヒドＣ１０
７５０          ヘキシルシンナミックアルデヒド
７０            アルデヒドＭＮＡ
１０            アルデヒドｓｕｐｒａ
５０            アリルアミルグリコレート
２０            １０％＊エチルカプロエート
５０            Ｃｅｔａｌｏｘ（Ｒ）１）
２０            ラズベリーケトン
２０            エチルシンナメート
５００          ＣｏｒａｎｏｌＴＭ２）
２０            デルタダマスコン
２００          ジヒドロミルセノール
２００          ４−シクロヘキシル−２−メチル−２−ブタノール
５００          （１−エトキシエトキシ）シクロドデカン
４００          Ｆｌｏｒｏｌ（Ｒ）３）
４５０          Ｈｅｄｉｏｎｅ（Ｒ）４）
４０            １，３−ベンゾジオキソール−５−カルバルデヒド
５０            Ｈｉｖｅｒｎａｌ（Ｒ）５）
５００          Ｉｓｏ  Ｅ（Ｒ）６）  Ｓｕｐｅｒ
５０            イソオイゲノール
２０            ３，７−ジメチル−２／３，６−ノナジエンニトリル
１００          Ｌｉｌｙｆｌｏｒｅ（Ｒ）７）
２０            １−（２，２，３，６−テトラメチル−シクロヘキシル−３−ヘキサノール
２０            クリスタルモス（Ｃｒｉｓｔａｌ  ｍｏｓｓ）
２０            Ｍｙｒｒｈｏｎｅ（Ｒ）８）
２０            ５０％＊＊（６Ｒ）−ペルヒドロ−３，６−ジメチル−ベンゾ［ｂ］フラン−２−オン
５０            Ｎｅｏｂｕｔｅｎｏｎｅ（Ｒ）９）
１００          Ｎｉｒｖａｎｏｌ（Ｒ）１０）
３０            トランス−１−（２，２，６−トリメチル−１−シクロヘキシル−３−ヘキサノール
１００          ３−メトキシ−７，７−ジメチル−１０−メチレン−ビシクロ［４．３．１］デカン
２００          パチュリオイル
３００          オレンジ精油
５０            １−メチル−４−（４−メチル−３−ペンテニル）−３−シクロヘキセン−１−カルボアルデヒド
４００          ベルジルプロピアネート
１５０          イソボルニルプロピアネート
４００          ローズワーディアオイル（Ｒｏｓｅ  Ｗａｒｄｉａ  ｏｉｌ）
８０            シス−３−ヘキセニルサリチレート
１００          Ｓａｌｉｃｙｎｉｌｅ（Ｒ）１１）
９００          Ｓｃｌａｒｅｏｌａｔｅ（Ｒ）１２）
８０            テルピノレン
５０            ２，４−ジメチル−３−シクロヘキセン−１−カルボキシアルデヒド
５０            γウンデカラクトン
２０            バニリン
３００          ２−ｔｅｒｔ−ブチル−１−シクロヘキシルアセテート
９７００
【００３３】
＊ジプロピレングリコール中
＊＊イソプロピルミリステート中
１）  ドデカヒドロ−３ａ，６，６，９ａ−テトラメチル−ナフト［２，１−ｂ］フラン；製造元：Ｆｉｒｍｅｎｉｃｈ  ＳＡ、スイス国ジュネーブ
２）  ４−シクロヘキシル−２−メチル−２−ブタノール；製造元：Ｆｉｒｍｅｎｉｃｈ  ＳＡ、スイス国ジュネーブ
３）  テトラヒドロ−２−イソブチル−４−メチル−４（２Ｈ）−ピラノール；製造元：Ｆｉｒｍｅｎｉｃｈ  ＳＡ、スイス国ジュネーブ
４）  メチルジヒドロジャスモネート；製造元：Ｆｉｒｍｅｎｉｃｈ  ＳＡ、スイス国ジュネーブ
５）  ３−（３，３／１，１−ジメチル−５−インダニル）プロパナール；製造元：Ｆｉｒｍｅｎｉｃｈ  ＳＡ、スイス国ジュネーブ
６）  １−（オクタヒドロ−２，３，８，８−テトラメチル−２−ナフタレニル）−１−エタノン；製造元：Ｉｎｔｅｒｎａｔｉｏｎａｌ  Ｆｌａｖｏｒｓ＆Ｆｒａｇｒａｎｃｅｓ、米国
７）  （２，５−ジメチル−２，３−ジヒドロ−１Ｈ−インデン−２−イル）メタノール；製造元：Ｆｉｒｍｅｎｉｃｈ  ＳＡ、スイス国ジュネーブ
８）  ４−（２，２，Ｃ−３，Ｔ−６−テトラメチル−Ｒ−１−シクロヘキシル）−３−ブテン−２−オン；製造元：Ｆｉｒｍｅｎｉｃｈ  ＳＡ、スイス国ジュネーブ
９）  １−（５，５−ジメチル−１−シクロヘキセン−１−イル）−４−ペンテン−１−オン；製造元：Ｆｉｒｍｅｎｉｃｈ  ＳＡ、スイス国ジュネーブ
１０）  ３，３−ジメチル−５−（２，２，３−トリメチル−３−シクロペンテン−１−イル）−４−ペンテン−２−オール；製造元：Ｆｉｒｍｅｎｉｃｈ  ＳＡ、スイス国ジュネーブ
１１）  （２Ｚ）−２−フェニル−２−ヘキセンニトリル；製造元：Ｆｉｒｍｅｎｉｃｈ  ＳＡ、スイス国ジュネーブ
１２）  プロピル（Ｓ）−２−（１，１−ジメチルプロポキシ）プロパノエート；製造元：Ｆｉｒｍｅｎｉｃｈ  ＳＡ、スイス国ジュネーブ
【００３４】
上記組成物に（Ｅ）−４−メチル−８−メチレン−４，９−デカジエナール３００重量部を添加することにより草本系の特徴が押し出され、元の組成物のクリーンなアルデヒド系の特徴が強められるとともに、カルダモンタイプのツイストも付与された。
【００３５】
実施例２
賦香組成物の製造
下記成分を混合することにより、スズランタイプの粉末洗剤用の賦香組成物を製造した。
重量部 成分
６０            シス−３−ヘキセニルアセテート
２００          シンナミックアルコール
８０            １０％＊アルデヒドＣ１０
６０            １０％＊アルデヒドＣ１１  ｌｅｎｉｑｕｅ
８０            １０％＊アルデヒドＣ９
４０            メチルアントラニレート
４０            カモミールエステル
５００          カルビノールミュゲ  （Ｃａｒｂｉｎｏｌ  Ｍｕｇｕｅｔ）
１００          フェニルエチルシンナメート
１４００        シトロネロール
５００          ＣｏｒａｎｏｌＴＭ１）
４０            ２−メチル−４−（２，２，３−トリメチル−３−シクロペンテン−１−イル）−４−ペンテン−１−オール
２００          ゼラニウムオイル
９００          Ｈｅｄｉｏｎｅ（Ｒ）２）
４００          ヒドロキシシトロネラール
８０            １０％＊インドール
１２００        ジャスミンオイル
５００          Ｌｉｌｙｆｌｏｒｅ（Ｒ）３）
１０００        リナロール
５００          フェネチロール
４４０          フェニルヘキサノール
４００          Ｓｃｅｎｔｅｎａｌ（Ｒ）４）
８０            （２，２−ジメトキシエチル）ベンゼン
２００          イランオイル
９０００
【００３６】
＊ジプロピレングリコール中
＊＊イソプロピルミリステート中
１）  ４−シクロヘキシル−２−メチル−２−ブタノール；製造元：Ｆｉｒｍｅｎｉｃｈ  ＳＡ、スイス国ジュネーブ
２）  メチルジヒドロジャスモネート；製造元：Ｆｉｒｍｅｎｉｃｈ  ＳＡ、スイス国ジュネーブ
３）  （２，５−ジメチル−２，３−ジヒドロ−１Ｈ−インデン−２−イル）メタノール；製造元：Ｆｉｒｍｅｎｉｃｈ  ＳＡ、スイス国ジュネーブ
４）  ８（９）−メトキシ−トリシクロ［５．２．１．０．（２，６）］デカン−３（４）−カルボアルデヒド；製造元：Ｆｉｒｍｅｎｉｃｈ  ＳＡ、スイス国ジュネーブ
【００３７】
上記組成物に（Ｅ）−４−メチル−８−メチレン−４，９−デカジエナール（１０％ジプロピレングリコール）を１０００重量部添加したところ、上記組成物に、既存のアルデヒドの代わりに非常に頻繁かつ幅広く使われていたが現在は規制によりその使用が厳しく制限されているＬｉｌｉａｌ（Ｒ）（３−（４−ｔｅｒｔ−ブチルフェニル）−２−メチルプロパナール）を同量添加した場合と非常によく似たフローラル／スズラン系の特徴が付与された。